(57)【要約】【課題】ＨＤ動画のうち必要なシーンを容易に取り出してＳＤ動画として記録可能とする。【解決手段】第一の動画ストリームを生成する第一の符号化手段と、前記第一の動画ストリームを記録媒体に記録する第一の記録手段と、第二の動画ストリームを生成する第二の符号化手段と、前記第二の動画ストリームを一時保持する一時保持手段と、前記一時保持手段から第二の動画ストリームを記録媒体に記録する第二の記録手段と、前記第一の符号化手段と第一の記録手段に記録指示を行うのと同時に、前記第二の符号化手段に符号化指示を行う第一の指示手段と、前記第二の記録手段に記録指示を行う第二の指示手段とを有する。【選択図】図１
2016009955.tif 000002
【特許請求の範囲】
【請求項１】
第一の動画ストリームを生成する第一の符号化手段と、
前記第一の動画ストリームを記録媒体に記録する第一の記録手段と、
第二の動画ストリームを生成する第二の符号化手段と、
前記第二の動画ストリームを一時保持する一時保持手段と、
前記一時保持手段から第二の動画ストリームを記録媒体に記録する第二の記録手段と、
前記第一の符号化手段と第一の記録手段に記録指示を行うのと同時に、前記第二の符号化手段に符号化指示を行う第一の指示手段と、
前記第二の記録手段に記録指示を行う第二の指示手段と、
を有することを特徴とする記録装置。
【請求項２】
前記第一動画ストリームの第一の目標符号量を制御する第一の符号量調整手段と、
前記第二動画ストリームの第二の目標符号量を制御する第二の符号量調整手段と、
を有し、前記第一の目標符号量と、前記第二の目標符号量は異なることを特徴とする請求項１に記載の記録装置。
【請求項３】
前記第一動画ストリームの解像度を変換する第一のリサイズ手段と、
前記第二動画ストリームの解像度を変換する第二のリサイズ手段と、
を有し、前記第一の解像度と、前記第二の解像度は異なることを特徴とする請求項１に記載の記録装置。
【請求項４】
前記第一動画ストリームのフレームレートを変換する第一のフレームレート制御手段と、
前記第二動画ストリームのフレームレートを変換する第二のフレームレート制御手段と、を有し、前記第一のフレームレートと、前記第二のフレームレートは異なることを特徴とする請求項１に記載の記録装置。
【請求項５】
前記第一の符号化手段と、前記第二の符号化手段の符号化方式は異なることを特徴とする請求項１に記載の記録装置。
【請求項６】
前記第一の動画ストリームに対する付加情報を生成する第一の付加情報生成手段と、
前記第二の動画ストリームに対する付加情報を生成する第二の付加情報生成手段と、を有し、
前記第一の付加情報生成手段は、前記第二の動画ストリームが存在するシーン位置情報を付加し、
前記第二の付加情報生成手段は、前記第一の動画ストリームが存在する情報を付加することを特徴とする請求項１に記載の記録装置。
【請求項７】
第一の動画ストリームを生成する第一の符号化手段と、
前記第一の動画ストリームを記録媒体に記録する第一の記録手段と、
第二の動画ストリームを生成する第二の符号化手段と、
前記第二の動画ストリームを一時保持する一時保持手段と、
前記一時保持手段から第二の動画ストリームを外部機器へ転送するデータ転送手段と、前記第一の符号化手段と第一の記録手段に記録指示を行うのと同時に、前記第二の符号化手段に符号化指示を行う第一の指示手段と、
前記データ転送手段に転送指示を行う転送指示手段と、
を有することを特徴とする記録装置。
【請求項８】
前記データ転送手段と外部機器との転送速度を測定する転送速度測定手段を有することを特徴とする請求項７に記載の記録装置。
【請求項９】
前記第一動画ストリームの第一の目標符号量を制御する第一の符号量調整手段と、
前記第二動画ストリームの第二の目標符号量を制御する第二の符号量調整手段と、
を有し、前記転送速度測定手段の測定結果に基づいて、前記第一の目標符号量と、前記第二の目標符号量を決定することを特徴とする請求項７に記載の記録装置。
【請求項１０】
前記第一動画ストリームの解像度を変換する第一のリサイズ手段と、
前記第二動画ストリームの解像度を変換する第二のリサイズ手段と、
を有し、前記転送速度測定手段の測定結果に基づいて、前記第一の解像度と、前記第二の解像度を決定することを特徴とする請求項７に記載の記録装置。
【請求項１１】
前記第一動画ストリームのフレームレートを変換する第一のフレームレート制御手段と、
前記第二動画ストリームのフレームレートを変換する第二のフレームレート制御手段と、を有し、前記転送速度測定手段の測定結果に基づいて、前記第一のフレームレートと、前記第二のフレームレートを決定することを特徴とする請求項７に記載の記録装置。
【請求項１２】
前記第一の符号化手段と、前記第二の符号化手段の符号化方式は異なることを特徴とする請求項７に記載の記録装置。
【請求項１３】
前記第一の動画ストリームに対する付加情報を生成する第一の付加情報生成手段と、
前記第二の動画ストリームに対する付加情報を生成する第二の付加情報生成手段と、
を有し、
前記第一の付加情報生成手段は、前記第二の動画ストリームが存在するシーン位置情報を付加し、
前記第二の付加情報生成手段は、前記第一の動画ストリームが存在する情報を付加することを特徴とする請求項７に記載の記録装置。
【発明の詳細な説明】
【技術分野】
【０００１】
本発明は、記録装置に関する。
【背景技術】
【０００２】
動画像データを記録する装置として、ビデオカメラが広く知られており、ＨＤ動画ストリームを記録するものが普及してきている。ＨＤ動画ストリームに加えて同一シーンをＳＤ動画像に変換した動画ストリームを同時に記録し、このＳＤ動画ストリームを用いて編集機やＰＣで編集作業をおこない、編集結果に基づいて最終的にＨＤ動画ストリームを得るような仕組みが知られている。
【０００３】
また、ＨＤ動画ストリームを、再生時にＳＤ動画ストリームに変換するビデオカメラなども知られており、従来の再生機器への互換や、動画サーバへのアップロードなどに活用されている。
【０００４】
その他、撮影時に複数の動画ストリームを同時に記録する記述として、特許文献１に記載されている装置なども提案されている。
【先行技術文献】
【特許文献】
【０００５】
【特許文献１】特開２００７−２５９１５５号公報
【発明の概要】
【発明が解決しようとする課題】
【０００６】
しかしながら、従来の撮影時にＨＤとＳＤの二つの動画ストリームを同時に記録する構成では、所望のシーンを切り出しサーバへアップロードするためには、撮影後に編集作業が必要であった。
【０００７】
また、再生時に変換する構成では変換作業を行う必要があり、ユーザにとって手間がかかるといった問題があった。
【０００８】
本発明は、ＨＤ動画のうち必要なシーンを容易に取り出してＳＤ動画として記録可能な装置を提供することを目的とする。
【課題を解決するための手段】
【０００９】
本発明に係る記録装置の構成は、第一の動画ストリームを生成する第一の符号化手段と、前記第一の動画ストリームを記録媒体に記録する第一の記録手段と、第二の動画ストリームを生成する第二の符号化手段と、前記第二の動画ストリームを一時保持する一時保持手段と、前記一時保持手段から第二の動画ストリームを記録媒体に記録する第二の記録手段と、前記第一の符号化手段と第一の記録手段に記録指示を行うのと同時に、前記第二の符号化手段に符号化指示を行う第一の指示手段と、前記第二の記録手段に記録指示を行う第二の指示手段と、を有することを特徴とする。
【発明の効果】
【００１０】
本発明によれば、ＨＤ動画のうち必要なシーンを容易に取り出してＳＤ動画として記録可能となる。
【図面の簡単な説明】
【００１１】
【図１】記録装置の構成を示すブロック図である。
【図２】同時記録の処理を示すフローチャートである。
【図３】同時記録により記録される動画を示す図である。
【図４】記録装置の構成を示すブロック図である。
【図５】記録及びアップロード動作を示す図である。
【図６】通信時の処理を示すフローチャートである。
【図７】同時アップロード記録の処理を示すフローチャートである。
【発明を実施するための形態】
【００１２】
以下、本発明の実施の形態について図面を参照しながら説明する。
【実施例１】
【００１３】
図１は、本発明の実施形態に係る記録装置１００の概略ブロック図である。１０１は、複数の光学レンズやＣＣＤ（Ｃｈａｒｇｅ  Ｃｏｕｐｌｅｄ  Ｄｅｖｉｃｅ）又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などのイメージセンサと複数のレンズで構成されたレンズユニットである。１０２は、レンズユニット１０１の出力信号を撮像画像データに変換する画像処理部で構成されたカメラ信号処理手段である。１０３は、カメラ信号処理手段１０２から出力される撮影画像データを、ＭＰＥＧ−２、Ｈ．２６４／ＭＰＥＧ−４  ＡＶＣなどのフレーム間予測を用いた符号化方式によって符号化し、第一の動画ストリームを生成する第一符号化手段である。１０４は、第一符号化手段１０３から出力される第一動画ストリームと付加情報を多重化して記録データを生成し、ＭｅｄｉａＩ／Ｆ１０８を介して記録媒体２００へ記録する第一記録手段である。
【００１４】
１０５は、カメラ信号処理手段１０２から出力される撮影画像データを、ＭＰＥＧ−２、Ｈ．２６４／ＭＰＥＧ−４  ＡＶＣなどのフレーム間予測を用いた符号化方式によって符号化し、第二の動画ストリームを生成する第二符号化手段である。１０６は、第二符号化手段１０５から出力される第二の動画ストリームを一時保持するＳＲＡＭ、ＤＲＡＭなどの揮発性メモリを用いた一時保持手段である。１０７は、一時保持手段１０６に保持されている第二の動画ストリームと付加情報を多重化して記録データを生成し、ＭｅｄｉａＩ／Ｆ１０８を介して記録媒体２００へ記録する第二記録手段である。１０８は、記録媒体２００とのインターフェースとなるＭｅｄｉａＩ／Ｆである。
【００１５】
１０９は、第一符号化手段１０３と、第二符号化手段１０５に対して符号化処理の開始と停止を、第一記録手段１０４に対して記録処理の開始と停止をそれぞれ指示する第一指示手段である。１１０は、第二記録手段に対して記録処理の開始と停止を支持する第二指示手段である。１１１は、画像処理装置１００全体を制御するＣＰＵである。２００は、画像処理装置１００から着脱可能なメモリカードなどの記録媒体である。
【００１６】
画像処理装置１００は、レンズユニット１０１〜ＣＰＵ１１１によって構成されている。通常記録動作時は、図示せぬ操作キーからユーザの記録操作をＣＰＵ１１１が検知し、第一記録手段１０９へ通知する。第一指示手段は第一符号化手段１０３と、第一記録手段１０４へ記録動作を指示する。この指示がなされるとレンズユニット１０１、カメラ信号処理１０２を介して得られた撮像画像データを、第一符号化手段１０３で符号化し第一の動画ストリームを生成する。第一記録手段１０４は生成された第一の動画ストリームに付加情報を多重化し、ＭｅｄｉａＩ／Ｆ１０８を介して記録媒体２００に記録する。
【００１７】
本実施形態では、第一の動画ストリームとしてＨＤの動画ストリームを生成する。また、第二の動画ストリームとして、ＨＤよりも画素数が少ないＳＤの動画ストリームを生成する。カメラ信号処理手段１０２は、ＨＤの動画ストリームとして、１９２０画素×１０８０画素の動画データを第一符号化手段１０３に出力する。また、カメラ信号処理手段１０２は、ＳＤの動画ストリームとして、６４０画素×４８０画素の動画データを第二符号化手段１０５に出力する。
【００１８】
図２は、本発明に係る同時記録の動作フローチャートである。ユーザによって記録操作を指示されたかを判断する（Ｓ２０１）。ＮｏならばＳ２０１へもどる。Ｓ２０１でＹｅｓならば、第一指示手段１０９を介して第一符号化手段１０３によって第一の動画ストリームを生成する（Ｓ２０２）。第一記録手段は、Ｓ２０２で生成した第一動画ストリームと付加情報を多重化し、ＭｅｄｉａＩ／Ｆ  １０８を介して記録媒体２００へ記録する（Ｓ２０３）。第二符号化手段１０５によって第二動画ストリームを生成する（Ｓ２０４）。
【００１９】
Ｓ２０４で生成した第二の動画ストリームを一時保持手段１０６に保持する（Ｓ２０５）。次に、ユーザによって第二動画ストリームの記録指示があったのかを判断する（Ｓ２０６）。Ｓ２０６でＹｅｓならば、第二記録手段１０７はＳ２０５で一時保持手段１０６に保持した第二動画ストリームと付加情報を多重化し、ＭｅｄｉａＩ／Ｆ１０８を介して記録媒体２００へ記録する。この多重化される付加情報は、この第二動画ストリームがＳ２０３で記録された第一動画ストリームのどのシーンと関連しているかを示す情報を付加する（Ｓ２０７）。
【００２０】
また、Ｓ２０７において一時保持手段１０６に保持されている第二の動画ストリームをすべて記録媒体に記録する。これによりＳ２０１でＹｅｓと判断されてからＳ２０６でＹｅｓと判断される期間に生成された第二の動画ストリームを記録することができる。Ｓ２０６でＮｏならば、Ｓ２０８へ移行する。ユーザによって記録終了指示がされたかを判断する（Ｓ２０８）。Ｓ２０８でＮｏならば、Ｓ２０２へ戻る。Ｓ２０８でＹｅｓならば、記録動作を終了する。
【００２１】
本実施の形態では、Ｓ２０３において第一動画ストリームに多重化する付加情報について言及しなかったが、第二動画ストリームの記録指示があった場合に、第二動画ストリームの存在を示す情報を付加してもよい。
【００２２】
また、本実施の形態ではＳ２０５で第二の動画ストリームを一時保持手段１０６へ保持したが、一時保持手段の保持サイズがあふれた場合は、以前に保持されている第二動画ストリームを削除し、新たに生成された第二動画ストリームを保持してもよい。その場合、Ｓ２０７で記録媒体２００へ記録される第二動画ストリームは、Ｓ２０６でＹｅｓと判断された時点から、一時保持手段１０６の保持サイズ分さかのぼった期間の動画ストリームとなる。
【００２３】
また、本実施の形態では第一符号化手段１０３と第二符号化手段１０５の目標符号量について言及しなかったが、一時保持手段１０６の保持サイズ、及び記録媒体２００の書き込みレートに応じて第二符号化手段１０５の目標符号量を少なくしてもよい。
【００２４】
また、本実施の形態では第一符号化手段１０３と第二符号化手段１０５のフレームレートについて言及しなかったが、一時保持手段一時保持手段１０６の保持サイズ、及び記録媒体２００の書き込みレートに応じて第二符号化手段１０５のフレームレートを低くしてもよい。
【００２５】
また、本実施の形態では第一符号化手段１０３と第二符号化手段１０５の符号化方式について言及しなかったが、異なる符号化方法であってもよい。
【００２６】
図３は、図２で説明した同時記録動作を行った場合に、記録媒体２００へ記録される動画ストリームの期間を表すイメージである。
【００２７】
横軸に時間軸があり、１、２、３、４はユーザによる動作指示があったタイミングである。１は記録開始指示タイミングであり、図２におけるＳ２０１でＹｅｓと判断されたタイミングである。２は第二動画ストリーム記録開始指示タイミングであり、図２におけるＳ２０６で初めてＹｅｓと判断されたタイミングである。３は第二動画ストリーム記録停止指示タイミングであり、図２におけるＳ２０６で２のタイミング以降に初めてＮｏと判断されたタイミングである。４は記録停止指示タイミングであり、図２におけるＳ２０８でＹｅｓと判断されたタイミングである。
【００２８】
期間Ａは第一動画ストリームの生成／記録をおこなっている期間である。期間Ｂは、第二動画ストリームの生成／一時保持をおこなっている期間である。期間Ｃは、記録媒体２００に記録される第二動画ストリームの撮影期間である。期間Ｄは、２で第二動画ストリーム記録指示がされた時点で、一時保持手段１０６のメモリ容量分保持されている第二動画ストリームの撮影期間である。
【００２９】
期間Ｅは、１から２間に一時保持手段１０６のメモリ容量が足りなくなったので破棄された撮影期間である。図３で示すように、本発明に係る動画同時記録動作をおこなった場合、記録媒体２００へ記録される第一動画ストリームは期間Ａの撮影動画ストリームであり、第二動画ストリームは、期間Ｃの撮影動画ストリームとなる。
【００３０】
第二動画ストリームは、タイミング２から一時保持手段１０６のメモリ容量の期間Ｄ分の時間をさかのぼった時点からの撮影動画ストリームとなる。
【００３１】
本発明の第一実施形態によれば、第一の動画ストリームを記録媒体への記録動作中に、第二の動画ストリームをメモリ上に蓄積していく。第一の動画記録中に、別途第二の記録指示が行われると、通常撮影時に切り出したシーンを別途作成することができる。
【００３２】
また、第二の記録指示がなされると、一時保持手段に蓄積されているすべての第二の動画ストリームを記録するので、数秒前からの切り出しシーンを作成することができるため、ユーザ切り出したいシーンが発生してから第二動画ストリームの記録指示をおこなえば、所望のシーンを含んだ第二の動画ストリームを記録することが可能になる。
【実施例２】
【００３３】
次に本発明に係る第二の実施形態について説明する。図４は、本発明の実施形態に係る記録装置４００の概略ブロック図である。２００は、図１と同様の記録装置１００から着脱可能なメモリカードなどの記録媒体である。３００は、無線ＬＡＮやＢｌｕｅｔｏｏｔｈ（登録商標）などの無線通信方法を用いて図示せぬブロードバンド上のＰＣやサーバへデータを転送可能は無線ユニットである。レンズユニット１０１〜一時保持手段１０６、ＭｅｄｉａＩ／Ｆ１０８、第一次指示手段１０９、及びＣＰＵ１１１は図１で説明した記録装置１００と同様のブロックである。
【００３４】
１１２は、一時保持手段１０６に保持されている第二の動画ストリームを読み出し、外部機器Ｉ／Ｆ１１３を介して無線ユニット３００へデータを転送する外部機器転送手段である。１１４は、外部機器転送手段１１２に対して転送処理の開始と停止を支持する転送指示手段である。１１５は、外部機器との転送速度、及び外部機器とブロードバンド３００との転送速度を含めたアップロードの転送速度を測定する転送速度測定手段である。
【００３５】
記録装置４００は、レンズユニット１０１〜一時保持手段１０６、ＭｅｄｉａＩ／Ｆ１０８、第一次指示手段１０９、及びＣＰＵ１１１〜転送指示手段１１４によって構成されている。
【００３６】
通常記録動作時は画像処理装置１００と同様に、図示せぬ操作キーからユーザの記録操作をＣＰＵ１１１が検知し、第一記録手段１０９へ通知する。第一指示手段は第一符号化手段１０３と、第一記録手段１０４へ記録動作を指示する。この指示がなされるとレンズユニット１０１、カメラ信号処理１０２を介して得られた撮像画像データを、第一符号化手段１０３で符号化し第一の動画ストリームを生成し、第一記録手段１０４は生成された第一の動画ストリームに付加情報を多重化し、ＭｅｄｉａＩ／Ｆ１０８を介して記録媒体２００に記録する。
【００３７】
図５は、本発明の同時アップロード記録動作のイメージ図である。記録媒体２００は画像処理／データ転送装置４００に装着されており、無線ユニット３００は画像処理／データ転送装置４００とケーブルやコネクタなどで直接接続されている。５００はブロードバンドであり、無線ユニット３００と無線ＬＡＮやＢｌｕｅｔｏｏｔｈ等の無線通信方式で接続されている。
【００３８】
図５で示すように本発明の同時アップロード記録動作では、直接接続されている記録媒体２００には高解像度（データサイズ大）の動画ストリームを記録するのと同時に、データ転送レートの低いブロードバンド５００へ低解像度（データサイズ小）の動画ストリームがアップロードされる。
【００３９】
図６は、本発明に係る画像処理／データ転送装置４００と無線ユニット３００が接続されたときのネゴシエーション動作のフローチャートである。無線ユニット３００は画像処理／データ転送装置４００と接続されたことを検知しており、画像処理／データ転送装置４００が備えている通信プロトコルと一致するかをネゴシエーションする（Ｓ６０１）。Ｓ６０１でネゴシエーションした結果、接続可能かを判断する（Ｓ６０２）。Ｓ６０２でＹｅｓならば転送速度測定手段１１５を用いてアップロードの転送速度を測定する（Ｓ６０３）。
【００４０】
次にＳ６０３で測定された転送速度以下のビットレートで、第二動画ストリームが生成可能かを判断する（Ｓ６０４）。Ｓ６０４でＹｅｓならば、Ｓ６０３で測定された転送速度以下のビットレートで第二動画ストリームを生成するように第二符号化手段１０５に設定する（Ｓ６０５）。Ｓ６０５で第二動画ストリームのビットレートを設定後に同時アップロード記録動作へ移る（Ｓ６０６）。
【００４１】
Ｓ６０２、Ｓ６０４でＮｏと判断された場合は、同時アップロード記録動作が不可能であると判断し、ユーザにエラー通知を行う。
【００４２】
図７は、本発明に係る同時アップロード記録の動作フローチャートである。すでに図６のＳ６０６を経由しており、無線ユニット３００は画像処理／データ転送装置４００に接続されブロードバンド５００へのアクセスも可能な状態である。また、第二符号化手段１０５は第一符号化手段１０３にくらべ、低いビットレートが設定されており、画像処理／データ転送装置４００と無線ユニット３００、及び無線ユニット３００とブロードバンド５００の転送レートを十分に満たしているものとする。
【００４３】
まず、画像処理／データ転送装置４００はユーザによって記録操作を指示されたかを判断する（Ｓ７０１）。ＮｏならばＳ７０１へもどる。Ｓ７０１でＹｅｓならば、第一指示手段１０９を介して第一符号化手段１０３によって第一の動画ストリームを生成する（Ｓ７０２）。
【００４４】
第一記録手段はＳ７０２で生成した第一動画ストリームと付加情報を多重化し、ＭｅｄｉａＩ／Ｆ１０８を介して記録媒体２００へ記録する（Ｓ７０３）。第二符号化手段１０５によって第二の動画ストリームを生成する（Ｓ７０４）。Ｓ７０４で生成した第二の動画ストリームを一時保持手段１０６に保持する（Ｓ７０５）。
【００４５】
次に、ユーザによって第二の動画ストリームの無線転送指示があったのかを判断する（Ｓ７０６）。Ｓ７０６でＹｅｓならば、外部機器転送手段１１２はＳ７０５で一時保持手段１０６に保持した第二の動画ストリームを、外部機器Ｉ／Ｆ１１３を介して無線ユニット３００へ転送する（Ｓ７０７）。た、Ｓ７０７において一時保持手段１０６に保持されている第二の動画ストリームをすべて無線ユニット３００へ転送する。これによりＳ７０１でＹｅｓと判断されてからＳ７０６でＹｅｓと判断される期間に生成された第二の動画ストリームを無線ユニット３００へ転送することができる。
【００４６】
Ｓ７０６でＮｏならば、Ｓ７０８へ移行する。ユーザによって記録終了指示がされたかを判断する（Ｓ７０８）。Ｓ７０８でＮｏならば、Ｓ７０２へ戻る。Ｓ７０８でＹｅｓならば、記録動作を終了する。
【００４７】
本発明の第二実施形態によれば、第一の動画ストリームを記録媒体への記録動作中に、第二の動画ストリームをメモリ上に蓄積していく。第一の動画記録中に、別途第二動画ストリームのデータ転送指示が行われると、通常撮影時に切り出したシーンをブロードバンド上のサーバやＰＣへアップロードすることができる。
【００４８】
また、データ転送指示がなされると、一時保持手段に蓄積されているすべての第二の動画ストリームを転送するので、数秒前からの切り出しシーンを転送することができるため、ユーザは切り出したいシーンが発生してから第二動画ストリームの転送指示をおこなえば、所望のシーンを含んだ第二の動画ストリームをアップロードすることが可能になる。
【００４９】
また、同時アップロード記録の動作前にアップロード時のデータ転送速度を測定し、その測定結果に基づいたビットレートで第二動画ストリームを生成することで、第二動画ストリーム生成を中断することなくアップロードが可能になる。
【符号の説明】
【００５０】
１０１  レンズユニット、１０２  カメラ信号処理手段、１０３  第一符号化手段、
１０４  第一記録手段
【図１】
2016009955.tif 000003
【図２】
2016009955.tif 000004
【図３】
2016009955.tif 000005
【図４】
2016009955.tif 000006
【図５】
2016009955.tif 000007
【図６】
2016009955.tif 000008
【図７】
2016009955.tif 000009